(57)【特許請求の範囲】
【請求項１】
伝送装置の送信側装置は、少なくともＱＡＭ方式処理部と、ＯＦＤＭ方式処理部と、アナログ方式処理部と、上記ＱＡＭ方式処理部、上記ＯＦＤＭ方式処理部および上記アナログ方式処理部を制御する第１の制御装置および第２の制御装置とからなり、上記第１の制御装置は、上記ＱＡＭ方式処理部および上記ＯＦＤＭ方式処理部の変調方式および伝送パラメータを前もって設定されたプリセットデータとして記憶する第１の記憶部と、少なくとも上記ＱＡＭ方式処理部および上記ＯＦＤＭ方式処理部の変調方式および伝送パラメータを組合わせたプリセットデータを記憶する第２の記憶部を有し、上記第２の記憶部に記憶される上記ＱＡＭ方式処理部および上記ＯＦＤＭ方式処理部の変調方式および伝送パラメータの上記プリセットデータを外部からの指示に基づいて変更し、上記第２の制御装置は、操作部と、処理部および第３の記憶部を有し、上記第３の記憶部に上記ＱＡＭ方式処理部および上記ＯＦＤＭ方式処理部の複数の変調方式および複数の伝送パラメータを記憶し、上記操作部の指示に基づき上記第３の記憶部に記憶されている上記複数の変調方式および複数の伝送パラメータから所定の変調方式および所定の伝送パラメータを組合わせて、上記ＱＡＭ方式処理部および上記ＯＦＤＭ方式処理部のそれぞれの変調方式およびそれぞれの伝送パラメータのプリセットデータを作成し、上記第２の制御部で作成された上記プリセットデータに基づいて上記第１の制御装置の上記第２の記憶部に記憶される上記プリセットデータを変更することを特徴とする伝送装置。
【請求項２】
請求項１記載の伝送装置において、上記操作部は、上記変調方式および上記伝送パラメータを表示する表示部と、少なくとも上記ＱＡＭ方式、ＯＦＤＭ方式またはアナログ方式のいずれかの変調方式を選択する変調方式調整部と、上記変調方式および上記伝送パラメータのプリセットデータを調整するプリセット調整部と、表示される上記伝送パラメータの種類を切り換える切り換えスイッチ部と、から構成され、上記表示部は、上記第２の記憶部から読み出した変調方式および伝送パラメータを表示し、上記変調方式調整部および上記プリセット調整部による上記変調方式および上記伝送パラメータのプリセットデータの変更に応じて表示を変更し、変更された上記変調方式および上記伝送パラメータのプリセットデータを上記第２の記憶部に記憶することを特徴とする伝送装置。
【請求項３】
伝送装置の受信側装置は、少なくともＱＡＭ方式処理部と、ＯＦＤＭ方式処理部と、アナログ方式処理部と、上記ＱＡＭ方式処理部、上記ＯＦＤＭ方式処理部および上記アナログ方式処理部を制御する第３の制御装置および第４の制御装置とからなり、上記第３の制御装置は、上記ＱＡＭ方式処理部および上記ＯＦＤＭ方式処理部の復調方式および伝送パラメータを前もって設定されたプリセットデータとして記憶する第４の記憶部と、少なくとも上記ＱＡＭ方式処理部および上記ＯＦＤＭ方式処理部の復調方式および伝送パラメータを組合わせたプリセットデータを記憶する第５の記憶部を有し、上記第５の記憶部に記憶される上記ＱＡＭ方式処理部および上記ＯＦＤＭ方式処理部の復調方式および伝送パラメータの上記プリセットデータを外部からの指示に基づいて変更し、上記第４の制御装置は、操作部と、処理部および第６の記憶部を有し、上記第６の記憶部に上記ＱＡＭ方式処理部および上記ＯＦＤＭ方式処理部の複数の復調方式および複数の伝送パラメータを記憶し、上記操作部の指示に基づき上記第６の記憶部に記憶されている上記複数の復調方式および複数の伝送パラメータから所定の復調方式および所定の伝送パラメータを組合わせて、上記ＱＡＭ方式処理部および上記ＯＦＤＭ方式処理部のそれぞれの復調方式およびそれぞれの伝送パラメータのプリセットデータを作成し、上記第４の制御部で作成された上記プリセットデータに基づいて上記第３の制御装置の上記第５の記憶部に記憶される上記プリセットデータを変更することを特徴とする伝送装置。
【請求項４】
請求項３記載の伝送装置において、上記操作部は、上記復調方式および上記伝送パラメータを表示する表示部と、少なくとも上記ＱＡＭ方式、ＯＦＤＭ方式またはアナログ方式のいずれかの復調方式を選択する復調方式調整部と、上記復調方式および上記伝送パラメータのプリセットデータを調整するプリセット調整部と、表示される上記伝送パラメータの種類を切り換える切り換えスイッチ部と、から構成され、上記表示部は、上記第５の記憶部から読み出した復調方式および伝送パラメータを表示し、上記復調方式調整部および上記伝送パラメータ調整部による上記復調方式および上記伝送パラメータのプリセットデータの変更に応じて表示を変更し、変更された上記復調方式および上記伝送パラメータのプリセットデータを上記第５の記憶部に記憶することを特徴とする伝送装置。
【発明の詳細な説明】
【技術分野】
【０００１】
本発明は、伝送装置に関し、特に、デジタル方式、アナログ方式等、複数の伝送モードを有する伝送装置のパラメータのプリセットを変更する伝送装置に関するものである。
【背景技術】
【０００２】
従来の単一モードの伝送装置の一例を図１９を用いて説明する。図１９は、従来の単一モードの伝送装置、例えば、ＦＰＵ（Field Pickup Unit）の概略構成を示すブロック図である。送信側装置は、送信制御部１９０１と送信高周波部１９０２とから構成されており、受信側装置は、受信高周波部１９０３と受信制御部１９０４とから構成されている。送信制御部１９０１は、入力信号である映像信号、音声信号を所定の変調モード、例えば、６４ＱＡＭ（Quadrature Amplitude Modulation）方式で変調し、ＩＦ（Intermediate Frequency：中間周波数）帯に周波数変換する。送信高周波部１９０２は、ＩＦ信号（ＩＦ帯に周波数変換された信号）をＲＦ（Radio Frequency：無線周波数）信号まで周波数変換し、電力増幅して送信する。受信高周波部１９０３は、ＲＦ信号を受信後、低雑音増幅、受信レベル制御を行い、周波数変換することでＩＦ信号に変換する。そして、受信制御部１９０４は、ＩＦ信号を所定の復調モード、例えば、６４ＱＡＭ方式で復調することにより得られた映像信号、音声信号を出力する。そして、送信制御部１９０１の表示部（図示せず。）には、例えば、伝送ビットレート、変調方式、使用するチャンネルを、受信制御部１９０４の表示部（図示せず。）には、例えば、伝送ビットレート、復調方式、使用するチャンネルを表示するように構成されている。
【０００３】
而して、上述の送信制御部１９０１および受信制御部１９０４の伝送ビットレート、変調方式、使用するチャンネル等（以下、これらを伝送装置のパラメータと称する。）は、前もって送信制御部１９０１および受信制御部１９０４のＣＰＵにプリセットされており、プリセットされたパラメータ以外のパラメータで伝送装置を動作させることはできなかった。しかしながら伝送の多様化、伝送路で発生するフェージングやマルチパス等の影響による信号の減衰、劣化に対して種々の伝送方式あるいは種々のパラメータの設定が必要となり、これらに対応できる伝送装置の実現が望まれている。
【０００４】
【特許文献１】特開２００３−１１５７８７号公報
【非特許文献１】テレビジョン放送番組素材伝送用可搬形ＯＦＤＭ方式デジタル無線伝送システムの規格ＡＲＩＢ  ＳＴＤ−Ｂ３３
【非特許文献２】テレビジョン放送番組素材伝送用可搬形マイクロ波帯デジタル無線伝送システムの規格ＡＲＩＢ  ＳＴＤ−Ｂ１１
【発明の開示】
【発明が解決しようとする課題】
【０００５】
従来の送信側装置および受信側装置は、伝送ビットレート、変調方式、使用するチャンネル等は、前もって送信側装置の送信制御部および受信側装置の受信制御部のＣＰＵにプリセットされており、プリセットされたパラメータ以外のパラメータで伝送装置を動作させることはできなかった。しかしながら伝送の多様化、伝送路での信号の減衰、劣化に対して種々の伝送方式あるいは種々のパラメータの設定が必要となり、これらに対応できる伝送装置の実現が望まれている。
【０００６】
本発明の目的は、伝送路の種々の伝送状態に対応できるプリセットデータを設定できる伝送装置を提供することである。
【０００７】
本発明の他の目的は、複数の伝送モードを有する伝送装置のパラメータのプリセットを外部から変更できる伝送装置を提供することである。
【課題を解決するための手段】
【０００８】
本発明の伝送装置の送信側装置は、少なくともＱＡＭ方式処理部と、ＯＦＤＭ方式処理部と、アナログ方式処理部と、上記ＱＡＭ方式処理部、上記ＯＦＤＭ方式処理部および上記アナログ方式処理部を制御する第１の制御装置とからなり、上記第１の制御装置は、上記ＱＡＭ方式処理部および上記ＯＦＤＭ方式処理部の変調方式および伝送パラメータを前もって設定されたプリセットデータとして記憶する第１の記憶部と、少なくとも上記ＱＡＭ方式処理部および上記ＯＦＤＭ方式処理部の変調方式および伝送パラメータを組合わせたプリセットデータを記憶する第２の記憶部を有し、上記第２の記憶部に記憶される上記ＱＡＭ方式処理部および上記ＯＦＤＭ方式処理部の変調方式および伝送パラメータの上記プリセットデータを外部からの指示に基づいて変更するように構成される。
【０００９】
また、本発明の伝送装置において、更に、第２の制御装置を有し、上記第２の制御装置は、操作部と、処理部および第３の記憶部を有し、上記第３の記憶部に上記ＱＡＭ方式処理部および上記ＯＦＤＭ方式処理部の複数の変調方式および複数の伝送パラメータを記憶し、上記操作部の指示に基づき上記第３の記憶部に記憶されている上記複数の変調方式および複数の伝送パラメータから所定の変調方式および所定の伝送パラメータを組合わせて、上記ＱＡＭ方式処理部および上記ＯＦＤＭ方式処理部のそれぞれの変調方式およびそれぞれの伝送パラメータのプリセットデータを作成し、上記第２の制御部で作成された上記プリセットデータに基づいて上記第１の制御装置の上記第２の記憶部に記憶される上記プリセットデータを変更するように構成される。
【００１０】
また、本発明の伝送装置の受信側装置は、少なくともＱＡＭ方式処理部と、ＯＦＤＭ方式処理部と、アナログ方式処理部と、上記ＱＡＭ方式処理部、上記ＯＦＤＭ方式処理部および上記アナログ方式処理部を制御する第３の制御装置とからなり、上記第３の制御装置は、上記ＱＡＭ方式処理部および上記ＯＦＤＭ方式処理部の変調方式および伝送パラメータを前もって設定されたプリセットデータとして記憶する第４の記憶部と、少なくとも上記ＱＡＭ方式処理部および上記ＯＦＤＭ方式処理部の変調方式および伝送パラメータを組合わせたプリセットデータを記憶する第５の記憶部を有し、上記第５の記憶部に記憶される上記ＱＡＭ方式処理部および上記ＯＦＤＭ方式処理部の変調方式および伝送パラメータの上記プリセットデータを外部からの指示に基づいて変更するように構成される。
【００１１】
また、本発明の伝送装置において、更に、第４の制御装置を有し、上記第４の制御装置は、操作部と、処理部および第６の記憶部を有し、上記第６の記憶部に上記ＱＡＭ方式処理部および上記ＯＦＤＭ方式処理部の複数の変調方式および複数の伝送パラメータを記憶し、上記操作部の指示に基づき上記第６の記憶部に記憶されている上記複数の変調方式および複数の伝送パラメータから所定の変調方式および所定の伝送パラメータを組合わせて、上記ＱＡＭ方式処理部および上記ＯＦＤＭ方式処理部のそれぞれの変調方式およびそれぞれの伝送パラメータのプリセットデータを作成し、上記第４の制御部で作成された上記プリセットデータに基づいて上記第３の制御装置の上記第５の記憶部に記憶される上記プリセットデータを変更するように構成される。
【発明の効果】
【００１２】
以上説明したように、本発明によれば伝送路の種々の伝送状態に対応できるプリセットデータを設定でき、また、複数の伝送モードを有する伝送装置のパラメータのプリセットを簡単に変更できる伝送装置を実現できる。従って、伝送の多様化、伝送路で発生するフェージングやマルテイパス等の影響による信号の減衰、劣化に対して種々の伝送方式あるいは種々のパラメータの設定が可能となり、ＦＰＵ等の伝送装置に極めて有用である。
【発明を実施するための最良の形態】
【００１３】
本発明の一実施例の伝送装置の概略構成及び動作について、図１、２に示すブロック図を用いて説明する。図１は、本発明の伝送装置の送信側装置の一実施例の概略構成のブロック図である。まず、操作者が操作パネル１０１を操作することにより、設定された伝送モード、例えば、変調方式および伝送パラメータをＣＰＵ１０２（第１制御装置と言う。）に指示する。ＣＰＵ１０２は、指示された伝送モード、伝送パラメータで無線伝送を行わせるようにＣＰＵ１０２は、各スイッチ、各信号処理部を制御する。図１に示す送信側装置では、シングルＱＡＭ方式、ＯＦＤＭ（Orthogonal Frequency Division Multiplexing）方式、アナログ変調方式の伝送モードを有し、操作パネル１０１の伝送モードの選択に基づいてアナログ／デジタル選択スイッチ１０３、１０４、シングルＱＡＭ／ＯＦＤＭ選択スイッチ１０５、１０６を制御して選択された伝送モードに応じた信号処理を行わせるように信号経路を切り換える。
【００１４】
例えば、信号経路が切り換えられることにより、シングルＱＡＭ方式処理部１０７、ＯＦＤＭ方式処理部１０８には、ＭＰＥＧ（Moving Picture Experts Group）エンコーダ１０９で生成されたＴＳ（Transport Stream）形式のデジタル信号Ｄが入力され、アナログ方式処理部１１０には、標準テレビ信号（以下、ＮＴＳＣ（National Television Standards Committee）映像信号と称する）とアナログ音声信号が入力される。なお、ＴＳ形式のデジタル信号Ｄは、ＳＤＩ（Serial Digital Interface）信号（デジタル映像信号）と、オーディオＡ／Ｄ変換部１１１でＡ／Ｄ変換された音声信号とがＭＰＥＧエンコーダ１０９で、例えば、ＭＰＥＧ−２符号化方式で符号化され、多重されることにより生成される。そして、シングルＱＡＭ方式処理部１０７、ＯＦＤＭ方式処理部１０８からの出力信号は、Ｄ／Ａコンバータ１１２でＤ／Ａ変換されると共に局部発振器１１３からの出力信号と混合され、例えば、周波数１３０ＭＨｚのＩＦ信号に変換され、送信高周波部１１４に供給される。
【００１５】
一方、アナログ方式処理部１１０からの出力信号は、直接、送信高周波部１１４に出力される。なお、アナログ方式処理部１１０からの出力信号も、例えば周波数１３０ＭＨｚのＩＦ信号である。送信高周波部１１４では、ＩＦ信号をＲＦ信号に周波数変換して、送信する。
【００１６】
更に詳述すると、操作者により操作パネル１０１で設定された伝送パラメータに従って、ＣＰＵ１０２は、シングルＱＡＭ方式処理部１０７、ＯＦＤＭ方式処理部１０８、アナログ方式処理部１１０のいずれかを選択し、制御すると共に、シングルＱＡＭ方式処理部１０７、ＯＦＤＭ方式処理部１０８、アナログ方式処理部１１０の動作状態を監視する。この監視により、後述する受信側装置との通信不良状態（以下、エラーと称する。）、各信号処理部（シングルＱＡＭ方式処理部１０７、ＯＦＤＭ方式処理部１０８、アナログ方式処理部１１０）内のユニットの不具合状態（以下、アラームと称する。）が発生する毎にＣＰＵ１０２は、如何なるエラー、アラームが発生したか（以下、エラー内容、アラーム内容と称する。）を記憶部に記憶する。そして、操作者が操作パネル１０１を操作したときにエラー内容、アラーム内容を操作パネル１０１に表示させる。１１６は、ＣＰＵ（第２制御装置と言う。）を示し、このＣＰＵ１１６は、ＣＰＵ１０２の記憶内容を書き換える機能を有するが、これについては後述する。なお、１１５は、電源回路を示す。
【００１７】
図２は、本発明の伝送装置の受信側装置の一実施例の概略構成のブロック図である。図２において、操作者が操作パネル２０１を操作することにより、設定された伝送モード、例えば、復調方式、伝送パラメータをＣＰＵ２０２（第３制御装置と言う。）に指示する。そして、指示された伝送モード、伝送パラメータで信号処理させるようにＣＰＵ２０２は、アナログ／デジタル選択スイッチ２０３、２０４、シングルＱＡＭ／ＯＦＤＭ選択スイッチ２０５、２０６、シングルＱＡＭ方式処理部２０７、ＯＦＤＭ方式処理部２０８、アナログ方式処理部２０９を制御する。
【００１８】
送信側装置から送られたＲＦ信号は、受信高周波部２１０で受信され、例えば、１３０ＭＨｚのＩＦ信号に変換された後、局部発振器２１１の出力信号と混合されると共にＡ／Ｄコンバータ２１２でＡ／Ｄ変換され、シングルＱＡＭ方式処理部２０７またはＯＦＤＭ方式処理部２０８に入力される。シングルＱＡＭ方式処理部２０７またはＯＦＤＭ方式処理部２０８で、所定の復調方式で復調処理することにより、ＴＳ形式のデジタル信号Ｄが出力される。なお、シングルＱＡＭ方式処理部２０７、ＯＦＤＭ方式処理部２０８からのＴＳ形式のデジタル信号Ｄは、ＭＰＥＧデコーダ部２１３でＭＰＥＧエンコーダ１０９と逆の処理を行うことにより、ＳＤＩ信号（デジタル映像信号）とデジタル音声信号に変換される。デジタル音声信号は、オーディオＤ／Ａ２１４でアナログ音声信号に変換される。更に、前述の１３０ＭＨｚのＩＦ信号（受信高周波部２１０の出力信号）は、アナログ方式処理部２０９に入力され、アナログ復調処理される。そして、アナログ方式処理部２０９からはＮＴＳＣ映像信号とアナログ音声信号が出力される。
【００１９】
更に詳述すると、操作パネル２０１で設定された伝送パラメータに従って、ＣＰＵ２０２は、シングルＱＡＭ方式処理部２０７、ＯＦＤＭ方式処理部２０８、アナログ方式処理部２０９を制御すると共に、シングルＱＡＭ方式処理部２０７、ＯＦＤＭ方式処理部２０８、アナログ方式処理部２０９の動作状態を監視する。この監視によりエラー、アラームが発生する毎にＣＰＵ２０２は、エラー内容、アラーム内容を記憶部に記憶する。そして、操作者が操作パネル２０１を操作したときにエラー内容、アラーム内容を操作パネル２０１に表示させる。２１６は、ＣＰＵ（第４制御装置と言う。）を示し、このＣＰＵ２１６は、ＣＰＵ２０２の記憶内容を書き換える機能を有するが、これについては後述する。なお、２１５は、電源回路を示す。なお、図１および図２に示す送信側装置および受信側装置については、後述するＣＰＵ１０２および１１６、ＣＰＵ２０２および２１６の構成、動作を除いて、本発明者らの先の出願：特願２００５−０６８２７９（出願日：平成１７年３月１１日）に記載されている。
【００２０】
次に、上記のようにして設定された伝送パラメータに従って動作する送信側装置、受信側装置の各信号処理部（シングルＱＡＭ方式処理部１０７、２０７、ＯＦＤＭ方式処理部１０８、２０８、アナログ方式処理部１１０、２０９）の構成、動作について、図３〜６を用いて説明する。図３は、本発明の送信側装置のシングルＱＡＭ方式処理部１０７の一実施例の概略構成のブロック図である。図３において、シングルＱＡＭ方式処理部１０７は、エネルギー拡散部３０１、符号化部３０２、インターリーブ部３０３、スタッフィング挿入部３０４、ＱＡＭマッピング部３０５、直交変調部３０６より構成されている。
【００２１】
ＭＰＥＧエンコーダ１０９より出力されたＴＳ形式のデジタル信号Ｄは、入力端子３０７より入力された後、エネルギー拡散部３０１で、例えば擬似ランダム系列加算でエネルギー拡散を行い、符号化部３０２に出力される。符号化部３０２は、操作パネル１０１で誤り訂正符号付加処理を行わせるように設定されたとき、ＣＰＵ１０２の制御により誤り訂正符号を付加してインターリーブ部３０３に出力する。例えば、ＲＳ（Reed-Solomon）符号化により１８８バイトの１ＴＳパケット毎に１６バイトの誤り訂正符号を付加してインターリーブ部３０３に出力する。一方、操作パネル１０１で誤り訂正符号付加処理を行わないように設定されたときは、ＣＰＵ１０２の制御により誤り訂正符号を付加せずにインターリーブ部３０３に出力する。
【００２２】
インターリーブ部３０３は、操作パネル１０１でインターリーブ処理を行わせるように設定されたとき、ＣＰＵ１０２の制御によりインターリーブ処理を行ってスタッフィング挿入部３０４に出力する。即ち、符号化部３０２からの出力信号のデータの並べ替えを行ってスタッフィング挿入部３０４に出力する。一方、操作パネル１０１でインターリーブ処理を行わないように設定されたときは、ＣＰＵ１０２の制御により符号化部３０２からの出力信号のデータの並べ替えを行わずにスタッフィング挿入部３０４に出力する。
【００２３】
スタッフィング挿入部３０４は、テレビジョン放送番組素材伝送用可搬形マイクロ波帯デジタル無線伝送システムの規格ＡＲＩＢ  ＳＴＤ−Ｂ１１（非特許文献２参照）により、図７で示す通り、操作パネル１０１で設定された伝送ビットレートによってダミーデータ挿入の有無が決まるため、ダミーデータの挿入が必要な伝送ビットレートの場合、ＣＰＵ１０２の制御によりダミーデータを付加してＱＡＭマッピング部３０５に出力する。一方、ダミーデータの挿入が不必要な伝送ビットレートの場合、ＣＰＵ１０２の制御によりダミーデータを付加することなくＱＡＭマッピング部３０５に出力する。なお、図７において、スタッフィングＳの０表示がダミーデータ不要を表している。
【００２４】
ＱＡＭマッピング部３０５は、ＣＰＵ１０２の制御により操作パネル１０１で設定された変調モードに従ってマッピング処理を行う。例えば、変調モードが６４ＱＡＭの場合、同相成分の信号Ｉと直交成分の信号Ｑで表されるＩ−Ｑ座標軸上に６４ポイントのマッピングを行う。マッピングを行った後、直交変調部３０６で、例えば周波数１３０ＭＨｚのＩＦ信号に変換して出力端子３０８に出力する。出力端子３０８に出力されたＩＦ信号は送信高周波部１１４に出力される。
【００２５】
以上のように、送信側装置において、シングルＱＡＭ方式の場合、誤り訂正符号の付加の有無、インターリーブ処理の有無、伝送ビットレート、変調モードが操作パネル１０１で設定され、この設定された伝送パラメータに従ってシングルＱＡＭ方式処理部１０７は動作する。なお、誤り訂正符号の付加の有無、インターリーブ処理の有無、伝送ビットレート、変調モードは、操作パネル１０１のプリセット調整ツマミにより一括して設定される。なお、操作パネル１０１の表示部に表示されるプリセット調整ツマミ、表示部については、後述する。
【００２６】
図４は、本発明の送信側装置のＯＦＤＭ方式処理部１０８の一実施例の概略構成のブロック図である。図４において、ＯＦＤＭ方式処理部１０８は、スクランブル処理部４０１、エネルギー拡散部４０２、符号化部４０３、インターリーブ部４０４、マッピング部４０５、フレーム生成部４０６、ＩＦＦＴ（Inverse Fast Fourier Transform）部４０７、ガード付加部４０８、直交変調部４０９より構成されている。ＭＰＥＧエンコーダ１０９より出力されたＴＳ形式のデジタル信号Ｄは、入力端子４１０を介してスクランブル処理部４０１に入力される。
【００２７】
スクランブル処理部４０１は、操作パネル１０１でスクランブル処理（撹拌処理）するように設定されたとき、ＣＰＵ１０２の制御によりスクランブル処理を行って、エネルギー拡散部４０２に出力する。一方、操作パネル１０１でスクランブル処理を行わないように設定されたとき、ＣＰＵ１０２の制御によりスクランブル処理を行わずにエネルギー拡散部４０２に出力する。エネルギー拡散部４０２は、例えば、擬似ランダム系列加算でエネルギー拡散を行い、符号化部４０３に出力する。符号化部４０３は、ＣＰＵ１０２の制御により操作パネル１０１で設定された符号化率で畳み込み符号化され、インターリーブ部４０４に出力する。
【００２８】
インターリーブ部４０４は、操作パネルで設定されたインターリーブ時間でインターリーブ処理を行わせるようにＣＰＵ１０２の制御によりインターリーブ処理を行ってマッピング部４０５に出力する。即ち、符号化部４０３からの出力信号のデータの並べ替えを、操作パネル１０１で設定されたインターリーブ時間で行ってマッピング部４０５に出力する。マッピング部４０５は、ＣＰＵ１０２の制御により操作パネル１０１で設定されたキャリア変調モードに従ってマッピングを行う。例えば、キャリア変調モードが６４ＱＡＭの場合、各キャリアに割り当てる６ビットのデータを指定することにより、同相成分の信号Ｉと直交成分の信号Ｑで表されるＩ−Ｑ座標軸上に６４ポイントのマッピングを行う。マッピングを行った後、フレーム生成部４０６でＯＦＤＭフレームが生成される。
【００２９】
フレーム生成部４０６では、ＯＦＤＭフレームを生成するにあたり、操作パネル１０１でＡＣ（Auxiliary Channel）キャリア、ＣＰ（Continual Pilot）キャリアを付加するように設定されたとき、ＣＰＵ１０２の制御によりＡＣキャリア、ＣＰキャリアを付加する。一方、操作パネル１０１でＡＣキャリア、ＣＰキャリアを付加しないように設定されたとき、ＣＰＵ１０２の制御によりＡＣキャリア、ＣＰキャリアは、付加されない。なお、ＯＦＤＭフレームは、マッピング部４０５の出力のデータを伝送するキャリアであるＤａｔａキャリアの他に、ＡＣキャリア、ＣＰキャリアを有する場合が有り、テレビジョン放送番組素材伝送用可搬形ＯＦＤＭ方式デジタル無線伝送システムの規格ＡＲＩＢ  ＳＴＤ−Ｂ３３（非特許文献１参照）に記載の通り、ＡＣキャリアは、付加情報を伝送するためのキャリア、ＣＰキャリアは、８キャリア毎に配置されたパイロット信号を伝送するためのキャリアである。なお、受信側装置では、送信側装置から伝送されるパイロット信号と同一の信号を有しており、この信号と送信側装置から伝送されたパイロット信号とを比較することで得た信号劣化によるマッピング点のずれに基づいてＤａｔａキャリアで伝送されたデータの補正を行う。従って、付加情報を伝送する場合には、ＡＣキャリアを付加するように操作パネル１０１で設定され、Ｄａｔａキャリアで伝送されたデータの補正を行う場合には、ＣＰキャリアを付加するよう操作パネル１０１で設定される。
【００３０】
生成されたＯＦＤＭフレームは、ＩＦＦＴ部４０７で逆高速フーリエ変換することで時間軸波形に変換され、ガード付加部４０８に出力される。ガード付加部４０８は、時間軸波形の各有効シンボルの先頭にガードインターバル（各有効シンボルの末尾を含む所定期間の時間軸波形）を付加することによりＯＦＤＭ信号を生成する。なお、ガードインターバルを付加するにあたり、ＣＰＵ１０２の制御により操作パネル１０１で設定されたガードインターバル比に従ってガードインターバルが付加される。ガード付加部４０８で生成されたＯＦＤＭ信号は、直交変調部４０９で、例えば、周波数１３０ＭＨｚのＩＦ信号に変換され、出力端子４１１に出力される。出力端子４１１に出力されたＩＦ信号は、送信高周波部１１４に出力される。
【００３１】
以上のように送信側装置において、ＯＦＤＭ方式の場合、スクランブル処理の有無、符号化率、インターリーブ時間、変調モード、ＡＣキャリアもしくはＣＰキャリアの有無、ガードインターバル比が操作パネル１０１で設定され、この設定された伝送パラメータに従ってＯＦＤＭ方式処理部１０８は動作する。なお、スクランブル処理の有無、符号化率、インターリーブ時間、変調モード、ＡＣキャリアもしくはＣＰキャリアの有無、ガードインターバル比は、操作パネル１０１のプリセット調整ツマミにより一括して設定され、操作パネル１０１の表示部に表示される。なお、プリセット調整ツマミ、表示部については、後述する。
【００３２】
アナログ方式処理部１１０は、アナログＦＭ変調部で構成されており、アナログＦＭ変調部は、ＮＴＳＣ映像信号とアナログ音声信号をＦＭ変調することで、例えば周波数１３０ＭＨｚのＩＦ信号に変換して出力する。なお、アナログ方式処理部の場合、チャンネル、送信出力等の伝送パラメータは、操作パネル１０１で設定され、また、操作パネル１０１の表示部に表示されるが、シングルＱＡＭ方式、ＯＦＤＭ方式のように操作パネル１０１のプリセット調整ツマミにより一括して設定されるような伝送パラメータは存在しない。なお、プリセット調整ツマミについては、後述する。
【００３３】
次に、受信側装置での各信号処理部（シングルＱＡＭ方式処理部２０７、ＯＦＤＭ方式処理部２０８、アナログ方式処理部２０９）の構成、動作について説明する。図５は、受信側装置のシングルＱＡＭ方式処理部２０７の一実施例の概略構成のブロック図を示す。図５において、シングルＱＡＭ方式処理部２０７は、直交復調部５０１、波形等化部５０２、スタッフィング除去部５０３、デインターリーブ部５０４、復号化部５０５、エネルギー逆拡散部５０６より構成されている。
【００３４】
Ａ／Ｄコンバータ２１２より出力されたＩＦ信号が入力端子５０７から直交復調部５０１に印加される。直交復調部５０１は、ＣＰＵ２０２の制御により操作パネル２０１で設定された復調モードに従って、同相成分のＩ信号と直交成分のＱ信号に復調し、波形等化部５０２に出力する。例えば、復調モードが６４ＱＡＭの場合、６４ＱＡＭで復調することで得た同相成分のＩ信号と直交成分のＱ信号は、波形等化部５０２に出力する。波形等化部５０２は、ＱＡＭ変調方式などの振幅変調を含む方式の場合、伝送路の特性や減衰のため、伝送される信号の波形が歪むので、この歪を除去するための波形等化を行うものである。この波形等化部５０２は、一般的にデジタルフィルタで構成される。波形等化が行われた後、スタッフィング除去部５０３に入力することにより、ダミーデータが挿入されている場合には、ダミーデータが除去される。なお、操作パネル２０１で設定された伝送ビットレートによってダミーデータが挿入されているか否かが決まるため、ダミーデータが挿入される場合の伝送ビットレートに設定されていたとき、ＣＰＵ２０２の制御により、送信側装置のスタッフィング挿入部で付加されたダミーデータを除去して、デインターリーブ部５０４に出力する。一方、ダミーデータが挿入されない場合の伝送ビットレートに設定されていたとき、ＣＰＵ２０２の制御により、ダミーデータがないことでデータの除去処理を行わずデインターリーブ部５０４に出力する。
【００３５】
デインターリーブ部５０４は、操作パネル２０１でデインターリーブ処理を行わせるように設定されたとき、ＣＰＵ２０２の制御によりデインターリーブ処理を行うことで、送信側装置のインターリーブ部３０３でインターリーブされる前の信号配列に戻し、復号化部５０５に出力する。一方、操作パネル２０１でデインターリーブ処理を行わないように設定されたとき、ＣＰＵ２０２の制御によりデインターリーブ処理を行わずに復号化部５０５に出力する。復号化部５０５は、操作パネル２０１で誤り訂正処理を行うように設定されたとき、ＣＰＵ２０２の制御により送信側装置の符号化部３０２で付加された誤り訂正符号を用いて誤り訂正処理を行い、エネルギー逆拡散部５０６に出力する。一方、操作パネル２０１で誤り訂正を行わないように設定されたとき、ＣＰＵ２０２の制御により誤り訂正処理を行わずにエネルギー逆拡散部５０６に出力する。エネルギー逆拡散部５０６では、エネルギー逆拡散が行われることにより元のＴＳ形式のデジタル信号Ｄに戻され、出力端子５０８に出力する。出力端子５０８に出力されたＴＳ形式のデジタル信号Ｄは、ＭＰＥＧデコーダ２１３に出力される。
【００３６】
以上のように、受信側装置において、シングルＱＡＭ方式の場合、復調モード、伝送ビットレート、デインターリーブ処理の有無、誤り訂正処理の有無が操作パネルで設定され、この設定された伝送パラメータに従ってシングルＱＡＭ方式処理部２０７は動作する。なお、復調モード、伝送ビットレート、デインターリーブ処理の有無、誤り訂正処理の有無は、操作パネル２０１のプリセット調整ツマミにより一括して設定され、操作パネル２０１の表示部に表示される。なお、プリセット調整ツマミ、表示部については、後述する。この表示により、伝送パラメータの設定の際、表示部に表示された伝送パラメータを送信側装置で設定された伝送パラメータと一致させるように操作者はプリセット調整ツマミを調整する。
【００３７】
また、先に説明したように直交復調部５０１は、操作パネル２０１で設定された復調モードで直交変調された信号を同相成分のＩ信号と直交成分のＱ信号に復調するが、テレビジョン放送番組素材伝送用可搬形マイクロ波帯デジタル無線伝送システムの規格ＡＲＩＢ  ＳＴＤ−Ｂ１１（非特許文献２参照）では、送信側装置の変調モード等の情報を有するＴＭＣＣ信号（Transmission and Multiplexing Configuration Control）をＴＳ形式のデジタル信号Ｄ（以下、ＴＳ信号と称する）に含めて送信されるように規定されていることにより、ＴＳ信号からＴＭＣＣ信号を識別することによって得た変調モード（受信側装置の復調モードは、送信側装置の変調モードと同じである）に従って、同相成分のＩ信号と直交成分のＱ信号に復調するようにしてもよい。更に、このＴＭＣＣ信号は、変調モード以外にも、伝送ビットレート、インターリーブ処理の有無、誤り訂正符号の付加の有無の情報も重畳されるため、ＣＰＵ２０２にＴＭＣＣ信号を伝送することにより、ＴＭＣＣ信号に重畳された情報に従って、シングルＱＡＭ方式処理部２０７を動作させるよう制御すると共に、操作パネル２０１の表示部に復調モード情報、伝送ビットレート情報、デインターリーブ処理の有無情報、誤り訂正処理の有無情報を表示させるようにしてもよい。なお、表示部については、後述する。
【００３８】
図６は、受信側装置のＯＦＤＭ方式処理部２０８の一実施例の概略構成のブロック図を示す。図６において、ＯＦＤＭ方式処理部２０８は、直交復調部６０１、ガードインターバル検出部６０２、ＦＦＴ（Fast Fourier Transform）部６０３、波形等化部６０４、デインターリーブ部６０５、復号化部６０６、エネルギー逆拡散部６０７、デスクランブル部６０８より構成されている。
【００３９】
Ａ／Ｄコンバータ２１２より出力されたＩＦ信号が入力端子６０９を介して直交復調部６０１に入力される。直交復調部６０１は、ＣＰＵ２０２の制御により操作パネル２０１で設定されたキャリア復調モードに従って同相成分のＩ信号と直交成分のＱ信号に復調し、ガードインターバル検出部６０２に出力する。例えば、キャリア復調モードが６４ＱＡＭの場合、６４ＱＡＭで復調され、復調された同相成分のＩ信号と直交成分のＱ信号がガードインターバル検出部６０２に出力する。ガードインターバル検出部６０２は、操作パネル２０１で設定されたガードインターバル比に従って、ＣＰＵ２０２の制御によりガード相関処理を行わせることで、時間軸波形の各有効シンボルの先頭が検出され、ＦＦＴ部６０３に出力する。例えば、ガードインターバル比が１／８のとき、Ｉ信号とＩ信号を有効シンボル（ガードインターバル長の８倍）遅延させた信号との相関値、もしくはＱ信号とＱ信号を有効シンボル（ガードインターバル長の８倍）遅延させた信号との相関値に基づいて、時間軸波形の各有効シンボルの先頭が検出され、ＦＦＴ部６０３に出力する。なお、相関値に基づく有効シンボルの先頭の検出については、例えば、特開２００３−１１５７８７号公報（特許文献１参照）に記載されており、周知であるので、説明は省略する。
【００４０】
ＦＦＴ部６０３は、有効シンボル毎に高速フーリエ変換を行い、波形等化部６０４は、送信側装置から受信側装置への伝送路の特性や減衰によって発生する伝送信号の波形の歪を除去するための波形等化を行う。この波形等化部６０４は、一般にデジタルフィルタで構成される。波形等化後、デインターリーブ部６０５は、操作パネル２０１でデインターリーブ処理を行わせるように設定されたとき、ＣＰＵ２０２の制御によりデインターリーブ処理を行うことで、送信側装置のインターリーブ部４０４でインターリーブされる前の信号配列に戻し、復号化部６０６に出力する。一方、操作パネル２０１でデインターリーブ処理を行わないように設定されたとき、ＣＰＵ２０２の制御によりデインターリーブ処理を行わずに復号化部６０６に出力する。復号化部６０６は、ＣＰＵ２０２の制御により操作パネル２０１で設定された符号化率で送信側装置の符号化部４０３により付加された畳み込み符号を用いて誤り訂正を行って、エネルギー拡散部６０７に出力する。
【００４１】
エネルギー逆拡散部６０７は、エネルギー逆拡散を行い、デスクランブル部６０８に出力する。デスクランブル部６０８は、操作パネル２０１でデスクランブル処理するように設定されたとき、ＣＰＵ２０２の制御によりデスクランブル解除が行われることで、元のＴＳ信号に戻され、出力端子６１０に出力する。一方、操作パネル２０１でデスクランブル処理を行わないように設定されたとき、ＣＰＵ２０２の制御によりデスクランブル処理を行わないで出力端子６１０に出力する。デスクランブル処理を行わずに出力した場合も、前段のエネルギー逆拡散部６０７で元のＴＳ信号に戻される。出力端子６１０に出力されたＴＳ信号は、ＭＰＥＧデコーダ２１３に出力される。
【００４２】
以上のように、受信側装置において、ＯＦＤＭ方式の場合、復調モード、ガードインターバル比、デインターリーブ処理の有無、符号化率、デスクランブル処理の有無が操作パネルで設定され、この設定された伝送パラメータに従ってＯＦＤＭ方式処理部２０８は動作する。なお、復調モード、ガードインターバル比、デインターリーブ処理の有無、符号化率、スクランブル処理の有無は、操作パネル２０１のプリセット調整ツマミにより一括して設定され、操作パネル２０１の表示部に表示される。なお、プリセット調整ツマミ、表示部については、後述する。この表示により、伝送パラメータの設定の際、表示部に表示された伝送パラメータを送信側装置で設定された伝送パラメータと一致させるように操作者は、調節する。
【００４３】
アナログ方式処理部２０９は、アナログＦＭ復調部で構成されており、アナログＦＭ復調部は、例えば周波数１３０ＭＨｚのＩＦ信号をＦＭ復調することで、ＮＴＳＣ映像信号とアナログ音声信号に変換して出力する。なお、アナログ方式処理部２０９の場合、チャンネル等の伝送パラメータは、操作パネル２０１で設定されると共に表示されるものの、シングルＱＡＭ方式、ＯＦＤＭ方式のように操作パネル２０１のプリセット調整ツマミにより一括して設定される伝送パラメータは存在しない。なお、プリセット調整ツマミについては、後述する。
【００４４】
而して、本発明の一実施例を説明する前に従来の送信側装置と受信側装置の表示方法について説明する。まず、前述の送信側装置、受信側装置の各信号処理部（シングルＱＡＭ方式処理部１０７、２０７、ＯＦＤＭ方式処理部１０８、２０８、アナログ方式処理部１１０、２０９）は、ＣＰＵ１０２（第１制御装置）およびＣＰＵ２０２（（第２制御装置）を操作者が操作パネル１０１および操作パネル２０１を操作することにより指示し、指示された伝送モード、例えば、送信側装置では、変調方式および伝送パラメータを、また、受信側装置では、復調方式および伝送パラメータを各ＣＰＵ１０２やＣＰＵ２０２に指示することでそれぞれ送信側装置および受信側装置が適宜動作することを説明した。そして、これらの伝送モードは、それぞれＣＰＵ１０２および２０２の記憶部に記憶されている。なお、ＣＰＵ１０２およびＣＰＵ２０２は、それぞれ送信側装置および受信側装置を制御するＣＰＵであり、その構成は、ほぼ同じであるので、以下の説明では、送信側装置のＣＰＵ１０２で説明し、受信側装置のＣＰＵ２０２についての説明は省略する。但し、両ＣＰＵ１０２と２０２に差異がある場合については、それぞれ区別して説明する。
【００４５】
図１２は、ＣＰＵ１０２の構成を示す。このＣＰＵ１０２は、処理部１２０１と記憶部Ａ１２０２（第１の記憶部と言う。）から構成されている。入出力端子１２０３は、図１に示すＣＰＵ１０２からの点線で示す制御信号の入出力を纏めて示した入出力端子である。入出力端子１２０４は、操作パネル１０１とを接続する入出力端子である。なお、上述したようにＣＰＵ２０２についても図１２に示す構成とほぼ同じである。
【００４６】
ＣＰＵ１０１の記憶部Ａ１２０２には、例えば、シングルＱＡＭ方式、ＯＦＤＭ方式あるいはアナログ方式の場合について、図８に示す各操作パネルのプリセット調整ツマミで設定される変調方式や伝送パラメータが記憶されている。そして、プリセット調整ツマミで設定された変調方式や伝送パラメータが記憶部Ａ１２０２から読み出され、操作パネルの表示部に表示されるため、操作者は、表示部を見ながら伝送パラメータの設定を行う。しかし、表示部の表示スペースは限られているので、シングルＱＡＭ方式、ＯＦＤＭ方式あるいはアナログ方式のいずれの場合においても、プリセット調整ツマミで設定された変調方式や伝送パラメータを全て一度に表示するのではなく、表示する変調方式や伝送パラメータを切り換えるスイッチを操作することで、表示させている。以下、操作パネルへの変調方式や伝送パラメータの表示方法について説明する。
【００４７】
まず、送信側装置の場合で説明する。送信側装置の操作パネルは、図８の通り、表示部８０１と、表示部８０１の表示項目を切り換えるＵＰスイッチ８０２及びＤＯＷＮスイッチ８０３と、プリセット調整ツマミ８０４、シングルＱＡＭ方式、ＯＦＤＭ方式あるいはアナログ方式等の変調方式の切替ツマミ８０５等複数の調整ツマミ（以後、これらを総称して複数の調整ツマミと略称する。）を有している。伝送パラメータ、変調方式の設定時において、複数の調整ツマミを操作すると、その操作に応じて記憶部Ａ１２０２から変調方式、伝送パラメータが読み出され、表示部８０１に変調方式、伝送パラメータが表示される。従って、操作者は、表示部８０１を見ながら複数の調整ツマミを操作して、伝送パラメータ、変調方式の設定を行う。なお、表示部８０１の表示スペースが限られていることにより、表示されない伝送パラメータがある場合、ＵＰスイッチ８０２、ＤＯＷＮスイッチ８０３に対して所定の操作を行ったときに表示させることで、表示部８０１の表示内容を切り換えながら変調方式や伝送パラメータの設定を行う。
【００４８】
受信側装置の操作パネルも同様にして、図９の通り、表示部９０１と、表示部９０１の表示内容を切り換えるＵＰスイッチ９０２及びＤＯＷＮスイッチ９０３と、プリセット調整ツマミ９０４、シングルＱＡＭ方式、ＯＦＤＭ方式あるいはアナログ方式等の復調方式を切替える切替ツマミ９０５等の複数の調整ツマミ（以後、これらを総称して複数の調整ツマミと略称する。）を有している。伝送パラメータ、復調方式の設定時において、ＣＰＵ２０２の記憶部（第４の記憶部と言う。）（図示せず。）に記憶されている復調方式、伝送パラメータを読出し、表示部９０１に復調方式、伝送パラメータを表示させることにより、操作者は、表示部９０１を見ながら複数の調整ツマミを操作して、復調方式、伝送パラメータの設定を行う。なお、表示部９０１の表示スペースが限られていることにより、表示されない伝送パラメータがある場合、ＵＰスイッチ９０２、ＤＯＷＮスイッチ９０３に対して所定の操作を行ったときに表示させることで、表示部９０１の表示内容を切り換えながら復調方式、伝送パラメータの設定を行う。
【００４９】
図１０は、本発明の実施例の伝送装置の場合の変調方式および伝送パラメータの表示例を示す図である。図１０において、例えば、電源を立ち上げたときに、所定の基本的な変調方式および伝送パラメータを表示する表示画面１００１（以下、初期状態表示画面と称する）が表示される。例えば、図１０に示す実施例では、ＣＯＤＥＣ単体、ＯＦＤＭ方式、シングルクＱＡＭ方式、アナログ方式が表示される。そして、例えば、ＯＦＤＭ方式を選択すると、ＯＦＤＭ伝送パラメータ詳細表示画面１００３が表示される。また、例えば、シングルクＱＡＭ方式を選択すると、シングルＱＡＭ伝送パラメータ詳細表示画面１００２が表示される。このように初期状態表示画面１００１だけでは表示部８０１、９０１の表示スペースが限られているので、多数の伝送パラメータを表示しきれないため、初期状態表示画面１００１で表示されなかった伝送パラメータをＯＦＤＭ伝送パラメータ詳細表示画面１００３およびシングルＱＡＭ伝送パラメータ詳細表示画面１００２で表示するようにしている。なお、ＵＰスイッチ８０２（図９では９０２）、ＤＯＷＮスイッチ８０３（図９では、９０３）は、表示部８０１（図９では、９０１）の表示スペースが限られていることにより、表示されない伝送パラメータがある場合に表示するためのスイッチである。このように変調方式および伝送パラメータが操作パネル１０１の複数の調整ツマミによりプリセットされた内容がＣＰＵ１０２の記憶部Ａ１２０２（第１の記憶部）から読み出され、表示部８０１に表示される。なお、図９についても同様であるが、この場合の画面には、復調方式が表示される。
【００５０】
次に、ＣＰＵ１０２の記憶部Ａ１２０２に記憶されている変調方式と伝送パラメータを読み出し、初期状態表示画面１００１、ＯＦＤＭ伝送パラメータ詳細表示画面１００３およびシングルＱＡＭ伝送パラメータ詳細表示画面１００２で表示する表示方法について説明する。まず、操作パネル１０１を操作して、変調方式切替ツマミ８０５を切替、初期状態表示画面１００１でシングルＱＡＭ方式を選択すると、ＣＰＵ１０２の記憶部Ａ１２０１に記憶されている変調方式と伝送パラメータが読み出され、シングルＱＡＭ伝送パラメータ詳細表示画面１００２が表示される。この表示画面は、例えば、送信側装置の表示部８０１あるいは受信側装置の表示部９０１には、図１１（Ａ）、（Ｂ）に示される伝送パラメータが表示される。ここで、図１１（Ａ）は、表示内容の表示項目を示したものであり、図１１（Ｂ）は、伝送パラメータの表示例（以下の説明では括弧内で示す。）を示している。例えば、伝送モード調整ツマミ８０５（受信側装置では、伝送モード調整ツマミ９０５）でＱＡＭ方式に伝送モードが設定されたとき、この伝送モード（ＱＡＭ）が表示されるだけでなく、送信側装置では操作パネル１０１のプリセット調整ツマミ８０４（受信側装置では操作パネル２０１のプリセット調整ツマミ９０４）で設定された伝送パラメータ、例えば、チャネル（Ｃ３）、伝送ビットレート（５９．６４８Ｍｂｐｓ）、変調モード（６４ＱＡＭ）（受信側装置では、復調モード）、誤り訂正符号付加の有無（ＦＥＯＮ）（受信側装置では、誤り訂正処理の有無）、ダミーデータ挿入の有無（ＳＴＯＮ）、映像信号形態（ＳＤＩ）、処理モード（ＬＰＣＭ４）等が表示される。
【００５１】
次に、ＯＦＤＭ方式が選択された場合について説明する。操作パネル１０１を操作して、変調方式切替ツマミ８０５を切替、初期状態表示画面１００１でＯＦＤＭ方式を選択すると、ＣＰＵ１０２の記憶部Ａ１２０２（第１の記憶部）に記憶されている変調方式と伝送パラメータが読み出され、ＯＦＤＭ伝送パラメータ詳細表示画面１００３が表示される。ここで、伝送パラメータ詳細表示画面１００３での伝送パラメータの具体的表示内容について説明する。この表示画面は、例えば、送信側装置の表示部８０１あるいは受信側装置の表示部９０１には、図１１（Ｃ）、（Ｄ）に示される伝送パラメータが表示される。ここで、図１１（Ｃ）は、表示内容の表示項目を示したものであり、図１１（Ｄ）は、伝送パラメータの表示例（以下の説明では括弧内で示す。）を示している。例えば、伝送モード調整ツマミ８０５（受信側装置では、伝送モード調整ツマミ９０５）でＯＦＤＭ方式に伝送モードが設定されたとき、この伝送モード（ＯＦＤＭ  １Ｋ）が表示されるだけでなく、送信側装置では操作パネル１０１のプリセット調整ツマミ８０４（受信側装置では操作パネル２０１のプリセット調整ツマミ９０４）で設定された伝送パラメータ、例えば、チャネル（Ｃ３）、伝送ビットレート（４４．７４６Ｍｂｐｓ）、キャリア変調モード（３２ＱＡＭ）（受信側装置では、復調モード）、符号化率（３／４）、インターリーブ時間（７６ｍｓ）、映像信号形態（ＳＤＩ）、処理モード（ＬＰＣＭ４）等が表示される。
【００５２】
また、アナログ方式が選択された場合について説明する。操作パネル１０１を操作して、変調方式切替ツマミ８０５を切替、初期状態表示画面１００１でアナログ方式を選択すると、ＣＰＵ１０２の記憶部Ａ１２０２に記憶されている変調方式と伝送パラメータを読み出し、アナログ伝送パラメータ詳細表示画面（図示せず。）が表示される。ここで、アナログ伝送パラメータ詳細表示画面の伝送パラメータの具体的表示内容について説明する。この表示画面は、例えば、送信側装置の表示部８０１あるいは受信側装置の表示部９０１には、図１１（Ｅ）、（Ｆ）に示される伝送パラメータが表示される。ここで、図１１（Ｅ）は、表示内容の表示項目を示したものであり、図１１（Ｆ）は、伝送パラメータの表示例（以下の説明では括弧内で示す。）を示している。例えば、伝送モード調整ツマミ８０５（受信側装置では、伝送モード調整ツマミ９０５）でアナログ方式に伝送モードが設定されたとき、この伝送モード（ＡＮＡＬＯＧ）が表示されるだけでなく、送信側装置では操作パネル１０１のプリセット調整ツマミ（受信側装置では操作パネル２０１のプリセット調整ツマミ）で設定された伝送パラメータ、例えば、チャネル（Ｃ３）、音声チャネル（ＡＵＤＩＯ）、Ａ１チャンネルＯＮ／ＯＦＦ（Ａ１ＯＮ）、Ａ２チャンネルＯＮ／ＯＦＦ（Ａ２ＯＮ）、信号送出／テスト信号送出（ＯＮＬＩＮ）等が表示される。
【００５３】
なお、上述の変調方式および伝送パラメータの設定と表示例は、例示的なものであり、これらに限定されるものではなく、例えば、ＯＦＤＭ伝送パラメータ詳細表示画面１００３Ａには、プリセット値（ＰＲＥ２）、スクランブル処理の有無（Scramble ＯＦＦ）、ガードインターバル比（１／８）を表示したり、ＯＦＤＭ伝送パラメータ詳細表示画面１００３Ｂには、ＡＣキャリアの有無（ＡＣ Modem：ＯＮ）、ＣＰキャリアの有無（ＣＰ／Int：ＯＦＦ／ＯＦＦ）を表示することもできる。また、ＴＭＣＣ信号のパターン、その他、図１０に示すＭＰＥＧ関係の情報や最新のエラー／アラームに関係する情報を適宜表示するように構成されている。
【００５４】
更に、本実施例の伝送装置は、図１０の通り、ＵＰスイッチ、ＤＯＷＮスイッチの操作に応じて表示内容を切り換えることにより、伝送パラメータ、エラー内容、アラーム内容以外に、横画素数、縦画素数等のＭＰＥＧビデオフォーマット情報、無線伝送する放送素材のコード情報、放送素材がＴＳ信号として伝送される際の映像信号が重畳されるパケットのコード情報、音声信号が重畳されるパケットのコード情報を表示する。また、例えば、複数の本実施例の伝送装置とパソコンをＬＡＮ接続した際、各伝送装置のＬＡＮ  ＩＤ（ＩＰアドレス、ポート番号）も表示するように構成されている。
【００５５】
而して、上述したＣＰＵ１０２の記憶部Ａ１２０２（第１の記憶部）およびＣＰＵ２０２の記憶部（第４の記憶部）は、一般にＲＯＭ（Read Only Memory）で構成されているのが普通であり、伝送装置の出荷時に前もって必要な変調方式および伝送パラメータを記憶させている。即ち、図１１で示されるようにシングルＱＡＭ方式、ＯＦＤＭ方式あるいはアナログ方式等の復調方式と伝送パラメータが記憶され、図８（または図９）で示される操作パネルで設定できる範囲の変調方式、伝送パラメータしか設定できないようになっている。
【００５６】
しかしながら前述したＡＲＩＢ  ＳＴＤ−Ｂ１１では、シングルＱＡＭ方式として、例えば、図７で示すように伝送モードでＱＰＳＫ、１６ＱＡＭ、・・６４ＱＡＭのように多数の伝送モードがあり、また、それらについて伝送パラメータが多数存在する。なお、図７は、全ての伝送パラメータを記載したものではない。また、ＡＲＩＢ  ＳＴＤ−Ｂ３３では、ＯＦＤＭ方式として、例えば、図１４で示すように伝送モード（キャリア変調）でＢＰＳＫ、ＤＢＰＳＫ、ＱＰＳＫ、・・６４ＱＡＭのように多数のキャリア変調方式があり、また、それらについて伝送パラメータが多数存在する。なお、図１４は、全ての伝送パラメータを記載したものではない。このように多数の変調方式および伝送パラメータがＡＲＩＢ  ＳＴＤで定められているが、従来の伝送装置では、出荷時に前もってプリセットのために必要な変調方式および伝送パラメータのみをＣＰＵ１０２の記憶部Ａ１２０２（第１の記憶部）あるいはＣＰＵ２０２の記憶部（第４の記憶部）に記憶させており、これを変更するためには、ＲＯＭで構成された記憶部Ａ１２０２を交換し、また、操作パネル１０１および２０１の複数の調整ツマミの設定を変更するしか方法が無く、出荷後の伝送装置の変調方式や伝送パラメータの変更が難しかった。
【００５７】
本発明は、これを改善し、出荷後の伝送装置の変調方式や伝送パラメータの変更を簡単に行える伝送装置を実現するものである。これによって伝送路の種々の伝送状態に対応することが可能となる。以下、これについて図１３を用いて説明する。図１３は、発明の一実施例に用いるＣＰＵ１０２（第１制御装置と言う。）およびＣＰＵ１１６（第２制御装置と言う。）の概略構成を示すブロック図である。ＣＰＵ１０２およびＣＰＵ１１６は、図１に示されるＣＰＵ１０２およびＣＰＵ１１６と同じものである。なお、図２に示すＣＰＵ２０２（第３制御装置と言う。）およびＣＰＵ２１６（第４制御装置と言う。）の構成もほぼ同じであるので詳細な説明は省略する。
【００５８】
図１３において、ＣＰＵ１０２は、処理部１３０１、記憶部Ｂ１３０２（第２の記憶部と言う。）および記憶部Ａ１２０２（第１の記憶部と言う。）で構成されている。記憶部Ａ１２０２は、図１２に示す記憶部Ａ１２０２と同様であり、ＲＯＭ等の書換え不可能な記憶部で構成されている。そして、記憶部Ｂ１３０２は、フラッシュメモリのような書換え可能な記憶部であり、例えば、ＥＥＰＲＯＭのような記憶部である。なお、入出力端子１３０３は、図１の点線で示される制御信号を纏めた入出力端子である。入出力端子１３０４は、操作パネル２０１との入出力端子である。ＣＰＵ１１６は、処理部１３０５および記憶部Ｃ１３０６（第３の記憶部と言う。）で構成されている。操作パネル１３０７は、操作部と表示部で構成され、処理部１３０５に接続され、後述するプリセット条件を設定するための操作パネルである。なお、ＣＰＵ２０２の記憶部Ａを第４の記憶部、記憶部Ｂを第５の記憶部と称することにする。また、ＣＰＵ２１６の記憶部Ｃを第６の記憶部と称することにする。そして、第４の記憶部は、ＲＯＭのような書換え不可能な記憶部で構成され、第５および第６の記憶部は、フラッシュメモリのような書換え可能な記憶部で構成されている。
【００５９】
ここで、ＣＰＵ１１６の記憶部Ｃ１３０６（第３の記憶部）（ＣＰＵ２１６では、第６の記憶部に相当する。）には、例えば、ＡＲＩＢ  ＳＴＤ−Ｂ１１で定められた、例えば、図７で示すような多数の伝送モードと多数の伝送パラメータおよびＡＲＩＢ  ＳＴＤ−Ｂ３３で定められた、例えば、図１４で示すような多数の伝送モード（キャリア変調）と多数の伝送パラメータが記憶されている。以下、図１３の動作について説明する。まず、ＣＰＵ１１６を起動して操作パネル１３０７を操作し、その表示部に図１で示される送信側装置の、例えば、シングルＱＡＭのプリセットのための編集画面を表示する。この編集画面を図１５に示す。
【００６０】
図１５に示すシングルＱＡＭのプリセットのための編集画面は、図１で示すシングルＱＡＭ方式処理部１０７をＣＰＵ１０２で制御するために変調方式や伝送パラメータをプリセットするための編集画面であり、記憶部Ｃ１３０６（第３の記憶部）に前もって記憶されている図７に示されるような変調方式や伝送パラメータから選択される。なお、図１５に示す編集画面は、プリセットＮｏ．１の変調方式および伝送パラメータのプリッセットを行なう場合について説明している。図１５において、１５０１は、ＳＩＮＧＬＥ  ＱＡＭ編集画面であり、１５０２は、プリセットＮｏ．：（１）、１５０３は、変調方式（ＭＯＤ）：（６４ＱＡＭ）、１５０４は、誤り訂正（ＦＥＣ）：（ＯＦＦ）、１５０５は、ビットレート（Bit Rate）：（７９．０５６Mbps）、１５０６は、スタッフィングレート（ＳＴＲ）：（ＯＦＦ）、１５０７は、インターリーブ（ＩＬＶ）：（ＯＮ）、１５０８は、ＴＭＣＣ：（９Ｆ  Ｅ０）を表している。また、１５０９は、コーデック編集画面で、ＴＳ（Transport Stream）のフォーマット（ＡＳＩ  Format）：（パケット／２０４）、１５１０は、映像の編集画面で、１５１１は、走査線数（ＬＩＮＥ）：（１９２０：１０８０／２９）、１５１２は、色（緑、青、赤）の割合（ＣＨＲＯＭＡ）：（４：２：２）を表している。また、１５１３は、音声の編集画面で、１５１４は、音声チャネル（ＡＡＣ）：（５．１ｃｈ）、（６４０Kbps）、１５１５は、圧縮方式（ＭＰＥＧ１）：（４ｃｈ）、（３８４Kbps）、１５１６は、変調方式（L-PCM：Linear PCM）：（４ｃｈ（１６Bit））を表している。なお、図１５に示す変調方式および各項目の数値等は、操作者が操作パネル１３０７を操作することにより記憶部１３０６に記憶されている図７に示す各変調方式および複数の伝送パラメータから適宜選択し、設定されるものである。
【００６１】
上記のような方法で、図１で示される送信側装置のシングルＱＡＭのプリセットを複数作成し、記憶部Ｃ１３０６に記憶する。図１７は、記憶部Ｃ１３０６に記憶されたプリセットＮｏ．１〜プリセットＮｏ．１１を操作パネル１３０７に一覧表として表示した場合のテーブルを示している。即ち、図１７において、縦方向には、プリセットＮｏ．１〜プリセットＮｏ．１１が表示され、横方向には、図１５で設定された各項目、Bit Rate 、ＭＯＤ、ＦＥＣ、・・・ＭＰＥＧ１  Rate が表示されている。なお、プリセットＮｏ．１は、図１５で設定されたプリセットＮｏ．１の変調方式および伝送パラメータに対応する。
【００６２】
次に、操作者は、操作パネル１３０７を操作し、その表示部に図１で示される送信側装置の、例えば、ＯＦＤＭのプリセットのための編集画面を表示する。この編集画面を図１６に示す。この図１６に示すＯＦＤＭのプリセットのための編集画面は、図１で示すＯＦＤＭ方式処理部１０８をＣＰＵ１０２で制御するために変調方式や伝送パラメータをプリセットするための編集画面であり、ＣＰＵ１１６の記憶部Ｃ１３０６に前もって記憶されている図１４に示されるような変調方式や伝送パラメータから選択される。この編集画面の設定も図１５に示す場合と同じである。図１６において、１６０１は、ＯＦＤＭ  ＦＵＬＬ編集画面であり、１６０２は、プリセットＮｏ．：（１）、１６０３は、変調方式（ＭＯＤ）：（６４ＱＡＭ）、１６０４は、誤り訂正（ＦＥＣ）：（５／６）、１６０５は、ビットレート（Bit Rate）：（５９．６４８Mbps）、１６０６は、インターリーブ（ＩＬＶ）：（７６ｍｓ）、１６０７は、ガードバンド（Ｇａｒｄ）：（１／８）、１６０８は、ＡＣＭＯＤ：（ＡＣなし）、１６０９は、ＡＣ Punc：（なし）を表している。また、１６１０は、コーデック編集画面で、ＴＳ（Transport Stream）のフォーマット（ＡＳＩ  Format）：（パケット／２０４）、１６１１は、映像の編集画面で、１６１２は、走査線数（ＬＩＮＥ）：（１９２０：１０８０／２９）、１６１３は、色（緑、青、赤）の割合（ＣＨＲＯＭＡ）：（４：２：２）を表している。また、１６１４は、音声の編集画面で、１６１５は、音声チャネル（ＡＡＣ）：（５．１ｃｈ）、（６４０Kbps）、１６１６は、圧縮方式（ＭＰＥＧ１）：（４ｃｈ）、（３８４Kbps）、１６１７は、変調方式（L-PCM：Linear PCM）：（４ｃｈ（１６Bit））を表している。なお、図１６に示す変調方式および各項目の数値等は、操作者が操作パネル１３０７を操作することにより記憶部１３０６に記憶されている図１４に示す各変調方式および複数の伝送パラメータから適宜選択し、設定されるものである。
【００６３】
上記のような方法で、図１で示される送信側装置のＯＦＤＭ方式処理１０８のプリセットを複数作成し、記憶部Ｃ１３０６に記憶する。図１８は、記憶部Ｃ１３０６に記憶されたプリセットＮｏ．１〜プリセットＮｏ．１１を操作パネル１３０７に一覧表として表示した場合のテーブルを示している。即ち、図１８において、縦方向には、プリセットＮｏ．１〜プリセットＮｏ．１１が表示され、横方向には、図１６で設定された各項目、Bit Rate 、ＭＯＤ、ＦＥＣ、・・・ＡＡＣ  Rate が表示されている。なお、プリセットＮｏ．１は、図１６で設定されたプリセットＮｏ．１の変調方式および伝送パラメータに対応する。
【００６４】
以上のようにしてシングルＱＡＭのプリセットが１１種類、ＯＦＤＭ  ＦＵＬＬのプリセットが１１種類作成される。このようにして作成された各プリセットは、操作者が操作パネル１３０７を操作してＣＰＵ１０２の記憶部Ｂ１３０２に書き込む操作を実行する。即ち、操作者は、操作パネル１３０７を操作してＣＰＵ１１６の記憶部Ｃ１３０６（第３の記憶部）から図１７に示すシングルＱＡＭのプリセットＮｏ．１〜Ｎｏ．１１を読出し、これらプリセットの内容に処理部１３０５で図１７に示すＰＡＣＫＥＴ  ＩＤ１７０１を付してＣＰＵ１０２の処理部１３０１に送信する。伝送装置の送信側装置のＣＰＵ１０２の処理部１３０１は、受信したＰＡＣＫＥＴ  ＩＤ１７０１付のシングルＱＡＭのプリセットＮｏ．１〜Ｎｏ．１１をＣＰＵ１０２の記憶部Ｂ１３０２に記憶する。
【００６５】
同様に、操作者は、操作パネル１３０７を操作して記憶部Ｃ１３０６から図１８に示すＯＦＤＭ  ＦＵＬＬのプリセットＮｏ．１〜Ｎｏ．１１を読出し、これらプリセットの内容に処理部１３０５で図１８に示すＰＡＣＫＥＴ  ＩＤ１８０１を付してＣＰＵ１０２の処理部１３０１に送信する。伝送装置の送信側装置のＣＰＵ１０２の処理部１３０１は、受信したＰＡＣＫＥＴ  ＩＤ１８０１付のＯＦＤＭ  ＦＵＬＬのプリセットＮｏ．１〜Ｎｏ．１１を記憶部Ｂ１３０２に記憶する。なお、記憶部Ｂ１３０２は、書換え可能な記憶部であることから、記憶部Ｂ１３０２に記憶されたプリセットの内容は、ＣＰＵ１１６の操作パネル１３０７の操作により読出し、その内容を追加したり、削除したり、修正したりすることができることは言うまでもない。
【００６６】
次に、記憶部Ｂ１３０２に記憶されたシングルＱＡＭのプリセットＮｏ．１〜Ｎｏ．１１およびＯＦＤＭ  ＦＵＬＬのプリセットＮｏ．１〜Ｎｏ．１１をそれぞれ送信側装置の
シングルＱＡＭ方式処理部１０７およびＯＦＤＭ方式処理部１０８にセットする方法について説明する。まず、シングルＱＡＭのプリセットＮｏ．１〜Ｎｏ．１１をシングルＱＡＭ方式処理部１０７にセットする場合、まず、図８に示す表示パネルの変調方式の調節ツマミ８０５をＱＡＭにセットすることで、シングルＱＡＭのプリセットＮｏ．１〜Ｎｏ．１１を選択し、そして、プリセット調整ツマミ８０４のＮｏ．１からＮｏ．１１を図１７に示すシングルＱＡＭのプリセットＮｏ．１〜Ｎｏ．１１に対応付ける。このようにすると、例えば、プリセット調整ツマミ８０４をＮｏ．１に合せると、図１７に示されるプリセットＮｏ．１の変調方式および伝送パラメータが選択され、表示部８０１に表示される。同時に、ＣＰＵ１０２は、このプリセットＮｏ．１の変調方式および伝送パラメータを処理部１３０１を介してシングルＱＡＭ方式処理部１０７に伝送し、シングルＱＡＭ方式処理部１０７の変調方式および伝送パラメータにセットする。これによってＣＰＵ１１６（第２制御装置）でセットされたシングルＱＡＭのプリセットＮｏ．１〜Ｎｏ．１１の内、プリセットＮｏ．１が送信側装置のシングルＱＡＭ方式処理部１０７にセットされる。なお、他のプリセットＮｏ．が選択されると、その選択されたプリセットＮｏ．の変調方式および伝送パラメータがセットされる。
【００６７】
同様に、ＯＦＤＭ  ＦＵＬＬのプリセットＮｏ．１〜Ｎｏ．１１をＯＦＤＭ方式処理部１０８にセットする場合、まず、図８に示す表示パネルの変調方式の調節ツマミ８０５をＯＦＤＭにセットすることで、ＯＦＤＭ  ＦＵＬＬのプリセットＮｏ．１〜Ｎｏ．１１を選択し、そして、プリセット調整ツマミ８０４のＮｏ．１からＮｏ．１１を図１８に示すＯＦＤＭ  ＦＵＬＬのプリセットＮｏ．１〜Ｎｏ．１１に対応付ける。このようにすると、例えば、プリセット調整ツマミ８０４をＮｏ．１に合せると、図１８に示されるプリセットＮｏ．１の変調方式および伝送パラメータが選択され、表示部８０１に表示される。同時に、ＣＰＵ１０２は、このプリセットＮｏ．１の変調方式および伝送パラメータを処理部１３０１を介してＯＦＤＭ方式処理部１０８に伝送し、ＯＦＤＭ方式処理部１０８の変調方式および伝送パラメータにセットする。これによってＣＰＵ１１６でセットされたＯＦＤＭ  ＦＵＬＬのプリセットＮｏ．１〜Ｎｏ．１１の内、プリセットＮｏ．１が送信側装置のＯＦＤＭ方式処理部１０８にセットされる。なお、他のプリセットＮｏ．が選択されると、その選択されたプリセットＮｏ．の変調方式および伝送パラメータがセットされることは言うまでもない。
【００６８】
以上のプリセット方式では、いずれもシングルＱＡＭのプリセットＮｏ．１〜Ｎｏ．１１およびＯＦＤＭ  ＦＵＬＬのプリセットＮｏ．１〜Ｎｏ．１１のプリセットのセット方法について説明したが、これに限られるものではなく、適宜複数のプリセットを選択して記憶部Ｂ１３０２に記憶することもできる。また、上記実施例では、伝送装置の送信側装置のシングルＱＡＭ方式処理部１０７およびＯＦＤＭ方式処理部１０８にそれぞれ変調方式および伝送パラメータをプリセットする方法について説明したが、伝送装置の受信側装置は、送信側装置から送られてくる信号を復調する必要があるので、送信側装置で設定されたものと同じものをプリセットする必要がある。従って、図２に示す受信側装置のシングルＱＡＭ方式処理部２０７およびＯＦＤＭ方式処理部２０８にそれぞれ復調方式および伝送パラメータをプリセットする必要があるが、これについても上記実施例と同じであるので、簡単に説明し、詳細な説明は省略する。即ち、図２で示すＣＰＵ２０２（第３制御装置）およびＣＰＵ２１６（第４制御装置）は、例えば、図１３で示す構成と同じ構成のＣＰＵが使用され、ＣＰＵ２０２の書換え可能な記憶部には、図１７および図１８に示すような複数のプリセット内容が記憶され、図９に示す操作パネルの操作により、シングルＱＡＭ方式処理部２０７およびＯＦＤＭ方式処理部２０８のそれぞれに複数のプリセット内容の１つが選択されセットされる。なお、受信側装置は、復調であるので、この点では、送信側装置と異なることは言うまでもない。
【００６９】
以上、本発明について詳細に説明したが、本発明は、外部の制御装置（ＣＰＵ）でＦＰＵのような伝送装置の複数の変調方式、複数の復調方式および複数の伝送パラメータを適宜組合わせたプリセットデータを作成し、伝送装置の送信側装置あるいは受信側装置の書換え可能な記憶部（第２の記憶部あるいは第５の記憶部）に記憶し、また、それら記憶されたプリセットデータを修正、変更、追加等ができるので、従来のような出荷時に設定されているプリセットデータ以外に、伝送装置のユーザが希望するプリセットデータが簡単に作成でき、また、伝送装置に簡単にセットできるので、極めて利用範囲が広くなる伝送装置およびパラメータのプリセット変更方法が実現できる特徴がある。
【００７０】
以上、本発明について詳細に説明したが、本発明は、ここに記載された伝送装置の実施例に限定されるものではなく、上記以外の伝送装置に広く適応することが出来ることは、言うまでも無い。
【図面の簡単な説明】
【００７１】
【図１】本発明の一実施例の送信側装置の概略構成を示すブロック図である。
【図２】本発明の一実施例の受信側装置の概略構成を示すブロック図である。
【図３】本発明の送信側装置のシングルＱＡＭ方式処理部の概略構成を示すブロック図である。
【図４】本発明の送信側装置のＯＦＤＭ方式処理部の概略構成を示すブロック図である。
【図５】本発明の受信側装置のシングルＱＡＭ方式処理部の概略構成を示すブロック図である。
【図６】本発明の受信側装置のＯＦＤＭ方式処理部の概略構成を示すブロック図である。
【図７】ＡＲＩＢ  ＳＴＤ−Ｂ１１で規定されている伝送装置の伝送モード、接続ビットレート等を説明するための図である。
【図８】本発明の一実施例の送信側装置の操作パネルの外観図を示す。
【図９】本発明の一実施例の受信側装置の操作パネルの外観図を示す。
【図１０】本発明の一実施例の操作パネルの表示内容を説明するための図である。
【図１１】本発明の一実施例の初期状態表示画面に設定したときの操作パネルの表示項目及び表示例を示す図である。
【図１２】従来の伝送装置で用いられる制御装置の構成を示す図である。
【図１３】本発明の伝送装置で用いられる制御装置の構成を示す図である。
【図１４】ＡＲＩＢ  ＳＴＤ−Ｂ３３で規定されている伝送装置のキャリア変調、ビットレート等を説明するための図である。
【図１５】本発明の一実施例の受信側装置のシングルＱＡＭのプリセットの編集画面を示す。
【図１６】本発明の一実施例の受信側装置のＯＦＤＭ  ＦＵＬＬのプリセットの編集画面を示す。
【図１７】本発明の一実施例の受信側装置のシングルＱＡＭのプリセットの一覧表示画面を示す。
【図１８】本発明の一実施例の受信側装置のＯＦＤＭ  ＦＵＬＬのプリセットの一覧表示画面を示す。
【図１９】従来の伝送装置の一例の概略構成を示すブロック図である。
【符号の説明】
【００７２】
１０１、２０１、１３０７：操作パネル、１０２、２０２、１１６、２１６：ＣＰＵ、１０３、１０４、２０３、２０４：アナログ／デジタル選択スイッチ、１０５、１０６、２０５、２０６：シングルＱＡＭ／ＯＦＤＭ選択スイッチ、１０７、２０７：シングルＱＡＭ方式処理部、１０８、２０８：ＯＦＤＭ方式処理部、１０９：ＭＰＥＧエンコーダ、１１０、２０９：アナログ方式処理部、１１１：オーディオＡ／Ｄ、１１２、２１２：Ｄ／Ａコンバータ、１１３、２１１：局部発振器、１１４：送信高周波部、１１５、２１５：電源回路、２１０：受信高周波部、２１３：ＭＰＥＧデコーダ、２１４：オーディオＤ／Ａ、３０１、４０２：エネルギー拡散部、３０２、４０３：符号化部、３０３、４０４：インターリーブ部、３０４：スタッフィング挿入部、３０５：ＱＡＭマッピング部、３０６、４０９：直交変調部、３０７、４１０：入力端子、３０８、４１１：出力端子、４０１：スクランブル処理部、４０５：マッピング部、４０６：フレーム生成部、４０７：ＩＦＦＴ部、４０８：ガード付加部、５０１、６０１：直交復調部、５０２、６０４：波形等化部、５０３：スタッフィング除去部、５０４、６０５：デインターリーブ部、５０５、６０６：復号化部、５０６、６０７：エネルギー逆拡散部、５０７、６０９：入力端子、５０８、６１０：出力端子、６０２：ガードインターバル検出部、６０３：ＦＦＴ部、６０８：デスクランブル部、８０１、９０１：表示部、８０２、９０２：ＵＰスイッチ、８０３、９０３：ＤＯＷＮスイッチ、８０４、９０４：プリセット調整ツマミ、８０５、９０５：伝送モード調整ツマミ、１００１：初期状態表示画面、１００２：シングルＱＡＭ方式伝送パラメータ詳細表示画面、１００３、１００３Ａ、１００３Ｂ：ＯＦＤＭ方式伝送パラメータ詳細表示画面、１１０１：左側の表示部、１１０２：中央の表示部、１１０３：右側の表示部、１２０１、１３０１、１３０５：処理部、１２０２：記憶部Ａ、１２０３、１２０４、１３０３、１３０４：入出力端子、１３０２：記憶部Ｂ、１３０６：記憶部Ｃ、１５０１：シングルＱＡＭ編集画面、１６０１：ＯＦＤＭ  ＦＵＬＬ編集画面、１９０１：送信制御部、１９０２：送信高周波部、１９０３：受信高周波部、１９０４：受信制御部。
【図１】
0004537286.tif 000002
【図２】
0004537286.tif 000003
【図３】
0004537286.tif 000004
【図４】
0004537286.tif 000005
【図５】
0004537286.tif 000006
【図６】
0004537286.tif 000007
【図７】
0004537286.tif 000008
【図８】
0004537286.tif 000009
【図９】
0004537286.tif 000010
【図１０】
0004537286.tif 000011
【図１１】
0004537286.tif 000012
【図１２】
0004537286.tif 000013
【図１３】
0004537286.tif 000014
【図１４】
0004537286.tif 000015
【図１５】
0004537286.tif 000016
【図１６】
0004537286.tif 000017
【図１７】
0004537286.tif 000018
【図１８】
0004537286.tif 000019
【図１９】
0004537286.tif 000020